Podtech/llm-jp-corpus-v4-ja_patent huggingface dataset:
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
ビームフォーミングされたサンプルを生成するためにビームフォーミングを行う受信ビームフォーマを有する画像取得回路と、
前記サンプルに基づいて、空間的に中間にあるピクセルを動的に再構成するように構成されるスキャン変換回路であって、前記サンプルが、個々の異なる音響ウィンドウを通じた取得から導出され、前記再構成が、前記サンプルの時間重み付けに基づく、スキャン変換回路と、
を有し、前記画像取得回路が、一対のイメージングプローブを更に有し、前記超音波イメージング装置は、前記画像取得回路により、一対の前記音響ウィンドウを通じて前記取得を実施するよう前記プローブを作動させる、超音波イメージング装置。
【請求項２】
前記一対のイメージングプローブのうち１つのプローブが、前記ビームフォーミングのためのフェイズドアレイを有する、請求項１に記載の超音波イメージング装置。
【請求項３】
前記取得は、１のスキャンにおいて実施される、請求項１に記載の超音波イメージング装置。
【請求項４】
前記スキャンが、前記音響ウィンドウを通じて協働的にインタリーブして実施される、請求項３に記載の超音波イメージング装置。
【請求項５】
一対の前記音響ウィンドウを通じた前記取得が、２つの音響ウィンドウに関して、前記スキャンの中心領域において交互する、請求項３に記載の超音波イメージング装置。
【請求項６】
前記スキャンが、前記スキャンにおいてデータを取得する一対の前記音響ウィンドウの間を結ぶ方向に実施される、請求項３に記載の超音波イメージング装置。
【請求項７】
前記再構成は、前記スキャンの単一の性能に基づいて３次元である、請求項６に記載の超音波イメージング装置。
【請求項８】
前記スキャン変換回路が、並べられ間隔をおいて配された一対の前記音響ウィンドウに関して前記再構成を実施する、請求項１に記載の超音波イメージング装置。
【請求項９】
前記スキャン変換回路が、前記取得に基づいて、前記一対の音響ウィンドウに対して中央に配置されるイメージングの重複領域に関して前記再構成を実施する、請求項８に記載の超音波イメージング装置。
【請求項１０】
前記音響ウィンドウがそれぞれ、前記重複領域をはさんで反対側の方を向いている、請求項９に記載の超音波イメージング装置。
【請求項１１】
前記重複領域内にあって、前記重複領域にわたって横方向に延びる部分をもつ同期ラインに対して、前記一対の音響ウィンドウを通じた協働的なインタリービングによるスキャンにおいて前記部分に沿った前記取得は、前記同期ラインに沿って同じ方向に進行する、請求項９に記載の超音波イメージング装置。
【請求項１２】
前記進行が、前記方向において単調である、請求項１１に記載の超音波イメージング装置。
【請求項１３】
前記進行が、前記方向において狭義単調増加である、請求項１２に記載の超音波イメージング装置。
【請求項１４】
前記ビームフォーマを有する画像取得回路を更に有し、前記画像取得回路を通じて、個々のフォーカスを有する異なる方向にビームを発するように構成され、前記フォーカスが前記同期ラインに沿って配される、請求項１１に記載の超音波イメージング装置。
【請求項１５】
前記取得が、個々の回転スキャンを通じて行われる、請求項１に記載の超音波イメージング装置。
【請求項１６】
複数の回転スキャンのうち１つの回転スキャンからの取得が、超音波インタフェース表面を有するトランスデューサを通じて行われ、前記回転スキャンの回転中心が、前記超音波インタフェース表面の前方に配される、請求項１５に記載の超音波イメージング装置。
【請求項１７】
一対の前記音響ウィンドウが、横方向に並べられ、前記超音波イメージング装置は、前記一対の音響ウィンドウにより、前記一対の音響ウィンドウが並べられる方向と同じ横方向における個々の同期された回転スキャンを通じて前記取得を行うように構成されている、請求項１に記載の超音波イメージング装置。
【請求項１８】
前記時間重み付けが、前記サンプルの相対的な最新性に基づく、請求項１に記載の超音波イメージング装置。
【請求項１９】
前記サンプルが、個々の受信ビームから導出され、前記超音波イメージング装置が、前記最新性を計算する際に前記受信ビームに関連付けられたタイムスタンプを使用する、請求項１８に記載の超音波イメージング装置。
【請求項２０】
前記超音波イメージング装置が、前記ピクセルのうち１のピクセルを再構成する際に前記サンプルの個々のものを時間重み付けするように構成され、前記時間重み付けは、前記サンプルの個々のものに特異的に関連付けられているタイムスタンプに基づく、請求項１に記載の超音波イメージング装置。
【請求項２１】
前記取得は、スキャンを通じて、前記音響ウィンドウを通じてインタリーブしながら同期ラインに関して進行し、前記同期ラインに沿って同じ方向に進む、請求項１に記載の超音波イメージング装置。
【請求項２２】
並べられて間隔をおかれた音響ウィンドウの対からの同期された超音波フェイズドアレイデータ取得の方法であって、前記音響ウィンドウはそれぞれ、イメージングされる中心領域をはさんで反対側の方を向いており、前記方法は、
前記中心領域をイメージングする際に単一の横方向に動的に協働的にスキャンするために前記対をインタリーブして使用するステップであって、前記スキャンの前記取得が、前記中心領域にわたって延びる同期ラインに沿って、前記方向に単調に進行し、前記方向は前記対の間を結ぶ方向である、ステップと、
ビームフォーミングされたサンプルを生成するようビームフォーミングを行うステップと、
前記サンプルに基づいて、空間的に中間にあるピクセルを動的に再構成するように構成するステップであって、前記サンプルが、個々の異なる音響ウィンドウを通じた取得から導出され、前記再構成が、前記サンプルの時間重み付けに基づく、ステップと、
を有する、方法。
【請求項２３】
ビームフォーミングされたサンプルに基づくスキャン変換のためのプログラムを具体化したコンピュータ可読媒体であって、前記プログラムは、
個々の異なる音響ウィンドウを通じた取得から前記サンプルを導出するステップと、
前記サンプルの時間重み付けに部分的に基づいて、空間的に中間にあるピクセルを動的に再構成するステップと、
を実施するためにプロセッサによって実行可能な命令を有する、コンピュータ可読媒体。
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
コードを含む医療用撮像システムであって、前記コードは、プロセッサにより実行されると、
第１の超音波画像を取得することと、
前記第１の超音波画像の方向を判断することと、
前記第１の超音波画像の十分性を判断することと、
第２の超音波画像を得るための開口の位置を計算することと、
前記第２の超音波画像を取得するために前記位置へと前記開口を移動させることと、
を前記医療用撮像システムに行わせる、
医療用撮像システム。
【請求項２】
前記コードは、
前記開口を前記位置へと移動させることができない場合にユーザへ通知すること、
を前記医療用撮像システムにさらに行わせる、請求項１に記載の医療用撮像システム。
【請求項３】
前記コードは、
前記位置において前記開口を使用して前記第２の超音波画像を取得することと、
前記第２の超音波画像の十分性を判断することと、
を前記医療用撮像システムにさらに行わせる、請求項１に記載の医療用撮像システム。
【請求項４】
前記コードは、
前記第１の超音波画像及び前記第２の超音波画像のうちの少なくとも１つの十分性についてユーザへ通知すること、
を前記医療用撮像システムにさらに行わせる、請求項３に記載の医療用撮像システム。
【請求項５】
超音波トランスデューサプローブを前記位置へと移動させるロボットアームによって、前記開口は移動される、請求項１に記載の医療用撮像システム。
【請求項６】
少なくとも２自由度で前記開口を移動させる超音波トランスデューサプローブを並進させることによって、前記開口は移動される、請求項１に記載の医療用撮像システム。
【請求項７】
超音波トランスデューサアレイをビーム形成することによって、前記開口は移動される、請求項１に記載の医療用撮像システム。
【請求項８】
前記第１の画像の画像面及び前記方向は、少なくとも部分的に、関節式剛体変形モデルによって判断される、請求項１に記載の医療用撮像システム。
【請求項９】
前記第１の画像の画像面及び前記方向は、少なくとも部分的に、可変テンプレートモデルによって判断される、請求項１に記載の医療用撮像システム。
【請求項１０】
前記第１の画像の十分性は、少なくとも部分的に、前記第１の画像の解像度によって判断される、請求項１に記載の医療用撮像システム。
【請求項１１】
前記第１の画像の十分性は、少なくとも部分的に、前記第１の画像が重要な解剖学的ビュー全体を含むことによって判断される、請求項１に記載の医療用撮像システム。
【請求項１２】
前記第１の画像の十分性は、少なくとも部分的に、前記第１の画像が前記開口のスキャン面において取得されていることによって判断される、請求項１に記載の医療用撮像システム。
【請求項１３】
前記第１の超音波画像及び前記第２の超音波画像は、それぞれ、２Ｄ超音波画像又は３Ｄ超音波画像を含む、請求項１に記載の医療用撮像システム。
【請求項１４】
前記コードは、前記位置への移動中に２つ以上の超音波画像を取得することを、前記医療用撮像システムにさらに行わせる、請求項１に記載の医療用撮像システム。
【請求項１５】
医療用撮像システムにおいて取得された画像を受信することと、
前記医療用撮像システムのプロセッサにより、前記取得された画像を分析することと、
前記プロセッサにより、開口のスキャン面において所望の画像を取得するため、前記開口の位置を計算することと、
前記プロセッサにより、前記位置へ前記開口を移動させるため、超音波アレイの移動を計算することと、
前記位置へと前記開口を移動させるための命令を、前記プロセッサからコントローラへ送信することと、
を含む、方法。
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
解剖学的領域の超音波イメージングを表す超音波信号を生成するように動作可能な超音波トランスデューサと、
前記超音波トランスデューサと通信し、超音波ワークステーションのユーザインタフェースに従って前記解剖学的領域の超音波画像を生成するように動作可能な超音波ワークステーションと、
前記超音波ワークステーションと通信し、前記超音波タブレットのユーザインタフェースに従って前記超音波ワークステーションによって生成された前記解剖学的領域の超音波画像の少なくとも一部を表示するように動作可能な超音波タブレットと、
を有し、前記超音波タブレットは、前記超音波ワークステーションに取り付け可能であり、前記超音波ワークステーションから取り外し可能であり、
前記超音波タブレットは、前記超音波ワークステーションから取り外されることに応じて前記超音波ワークステーションとワイヤレス通信し、
前記超音波タブレットは、前記超音波ワークステーションに取り付けられることに応じて前記超音波ワークステーションとワイヤード通信し、
前記超音波ワークステーションは、前記超音波ワークステーションのワークステーションディスプレイ及び前記超音波タブレットのタブレットディスプレイのイメージングパラメータを同時に又は個別に調整し、
前記超音波タブレットは、前記ワークステーションディスプレイ及び前記タブレットディスプレイのイメージングパラメータを同時に又は個別に調整する、超音波システム。
【請求項２】
前記超音波ワークステーションは、前記超音波タブレットと通信し、前記超音波タブレットの前記ユーザインタフェースに従って前記解剖学的領域の超音波画像を表示するように動作可能である、請求項１に記載の超音波システム。
【請求項３】
前記超音波タブレットは、前記超音波ワークステーションと通信し、前記超音波ワークステーションの前記ユーザインタフェースに従って前記解剖学的領域の超音波画像の少なくとも一部を表示するように動作可能である、請求項１に記載の超音波システム。
【請求項４】
解剖学的領域の超音波イメージングを表す超音波信号を生成するように動作可能な超音波トランスデューサと、
前記超音波トランスデューサと通信し、前記超音波ワークステーションのユーザインタフェースに従って前記解剖学的領域の超音波画像を生成するように動作可能な超音波ワークステーションと、
前記超音波ワークステーションと通信し、前記超音波ワークステーションのユーザインタフェースに従って前記超音波ワークステーションによって生成された前記解剖学的領域の超音波画像の一部を表示するように動作可能な超音波タブレットと、
を有し、前記超音波タブレットが、前記超音波ワークステーションに取り付け可能であり、前記超音波ワークステーションから取り外し可能であり、
前記超音波タブレットは、前記超音波ワークステーションから取り外されることに応じて前記超音波ワークステーションとワイヤレス通信し、
前記超音波タブレットは、前記超音波ワークステーションに取り付けられることに応じて前記超音波ワークステーションとワイヤード通信し、
前記超音波ワークステーションは、前記超音波ワークステーションのワークステーションディスプレイ及び前記超音波タブレットのタブレットディスプレイのイメージングパラメータを同時に又は個別に調整し、
前記超音波タブレットは、前記ワークステーションディスプレイ及び前記タブレットディスプレイのイメージングパラメータを同時に又は個別に調整する、超音波システム。
【請求項５】
前記超音波ワークステーションが更に、前記超音波タブレットと通信して、前記超音波タブレットの前記ユーザインタフェースに従って前記解剖学的領域の超音波画像を表示する、請求項４に記載の超音波システム。
【請求項６】
前記超音波タブレットは更に、前記超音波ワークステーションの前記ユーザインタフェースに従って前記解剖学的領域の超音波画像を表示するように動作可能である、請求項４に記載の超音波システム。
【請求項７】
解剖学的領域の超音波イメージングを表す超音波信号を生成するように動作可能な超音波トランスデューサと、
超音波ワークステーションと、
超音波タブレットと、
を有し、
前記超音波ワークステーションは、前記超音波トランスデューサ及び前記超音波タブレットと通信し、前記超音波タブレットのユーザインタフェースに従って前記解剖学的領域の超音波画像を生成するように動作可能であり、
前記超音波タブレットは、前記超音波ワークステーションと通信し、前記超音波ワークステーション及び前記超音波タブレットの少なくとも一方のユーザインタフェースに従って、前記超音波ワークステーションによって生成された前記解剖学的領域の超音波画像の少なくとも一部を表示するように動作可能であり、
前記超音波タブレットは、前記超音波ワークステーションに取り付け可能であり、前記超音波ワークステーションから取り外し可能であり、
前記超音波タブレットは、前記超音波ワークステーションから取り外されることに応じて前記超音波ワークステーションとワイヤレス通信し、
前記超音波タブレットは、前記超音波ワークステーションに取り付けられることに応じて前記超音波ワークステーションとワイヤード通信し、
前記超音波ワークステーションは、前記超音波ワークステーションのワークステーションディスプレイ及び前記超音波タブレットのタブレットディスプレイのイメージングパラメータを同時に又は個別に調整し、
前記超音波タブレットは、前記ワークステーションディスプレイ及び前記タブレットディスプレイのイメージングパラメータを同時に又は個別に調整する、超音波システム。
【請求項８】
前記超音波ワークステーションが、前記超音波タブレットの前記ユーザインタフェースに従って前記解剖学的領域の超音波画像を表示する、請求項７に記載の超音波システム。
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
−細胞外ＣＤ１２３リガンド結合ドメインに融合された高親和性ＩｇＥ受容体（ＦｃεＲＩ）のアルファ鎖由来の膜貫通ポリペプチド
を含む、ＣＤ１２３特異的多重鎖キメラ抗原受容体（ｍｃ  ＣＡＲ）。
【請求項２】
−シグナル伝達ドメインに融合されたＦｃεＲＩのガンマまたはベータ鎖由来の第２の膜貫通ポリペプチド
をさらに含む、請求項１に記載のＣＤ１２３特異的多重鎖キメラ抗原受容体（ｍｃ  ＣＡＲ）。
【請求項３】
−共刺激ドメインを含むＦｃεＲＩのガンマまたはベータ鎖由来の第３の膜貫通ポリペプチド
をさらに含む、請求項２に記載のＣＤ１２３特異的多重鎖キメラ抗原受容体（ｍｃ  ＣＡＲ）。
【請求項４】
ＦｃεＲＩの前記アルファ鎖に融合された前記ＣＤ１２３リガンド結合ドメインが、ＣＤ１２３に対する特異性を付与する重鎖（ＶＨ）および軽鎖（ＶＬ）を含む一本鎖可変断片（ｓｃＦｖ）である、請求項１〜３のいずれか一項に記載のＣＤ１２３特異的多重鎖キメラ抗原受容体。
【請求項５】
前記ＶＨが、配列番号：１３、１５、１７、１９、２１および２３から選択される１つと少なくとも９０％の同一性を示すポリペプチド配列を含む、請求項４に記載のＣＤ１２３特異的多重鎖キメラ抗原受容体。
【請求項６】
前記ＶＬが、配列番号：１４、１６、１８、２０、２２および２４から選択される１つと少なくとも９０％の同一性を示すポリペプチドを含む、請求項１に記載のＣＤ１２３特異的多重鎖キメラ抗原受容体。
【請求項７】
ＦｃεＲＩの前記アルファ鎖が、ＣＤ８α、ＩｇＧ１またはＦｃＲＩＩＩαタンパク質由来のヒンジによって、前記細胞外リガンド結合ドメインに融合されている、請求項１に記載のＣＤ１２３特異的多重鎖キメラ抗原受容体。
【請求項８】
ＦｃεＲＩのガンマまたはベータ鎖に融合された前記シグナル伝達ドメインが、ＴＣＲゼータ鎖、ＦＣεＲβ鎖、ＦｃεＲＩγ鎖に由来し、または免疫受容活性化チロシンモチーフ（ＩＴＡＭ）を含む、請求項２〜７のいずれか一項に記載のＣＤ１２３特異的多重鎖キメラ抗原受容体。
【請求項９】
前記シグナル伝達ドメインがＣＤ３ゼータに由来する、請求項８に記載のＣＤ１２３特異的多重鎖キメラ抗原受容体。
【請求項１０】
前記第２または第３のポリペプチドが、ＣＤ２７、ＣＤ２８、４−１ＢＢ、ＯＸ４０、ＣＤ３０、ＣＤ４０、ＰＤ−１、ＩＣＯＳ、リンパ球機能関連抗原−１（ＬＦＡ−１）、ＣＤ２、ＣＤ７、ＣＤ８、ＬＩＧＨＴ、ＮＫＧ２Ｃ、Ｂ７−Ｈ３、ＣＤ８３に特異的に結合するリガンド、およびそれらの任意の組み合わせから選択される共刺激分子の細胞質ドメイン由来の共刺激ドメインを含む、請求項３〜９のいずれか一項に記載のＣＤ１２３特異的多重鎖キメラ抗原受容体。
【請求項１１】
抗ＣＤ１２３  ７Ｇ３、抗ＣＤ１２３  Ｏｌｄ４、抗ＣＤ１２３  ２６２９２、抗ＣＤ１２３  ３２７１６、抗ＣＤ１２３  Ｋｌｏｎ４３または抗ＣＤ１２３  １２Ｆ１の全長アミノ酸配列と少なくとも８０％の同一性を示すポリペプチド配列を含む、請求項１に記載のＣＤ１２３特異的多重鎖キメラ抗原受容体。
【請求項１２】
請求項１〜１１のいずれか一項に記載のＣＤ１２３特異的多重鎖キメラ抗原受容体をコードする核酸配列を含む、ポリヌクレオチド。
【請求項１３】
免疫細胞を操作する方法であって、
（ａ）免疫細胞を提供すること；
（ｂ）前記細胞の表面において、少なくとも１つの請求項１〜１１のいずれか一項に記載の多重鎖キメラ抗原受容体を発現させること
を含む、方法。
【請求項１４】
少なくとも１つの請求項１〜１１のいずれか一項に記載の多重鎖キメラ抗原受容体を含む、単離された免疫細胞。
【請求項１５】
ＮＫ細胞、炎症性Ｔリンパ球、細胞傷害性Ｔリンパ球、調節性Ｔリンパ球またはヘルパーＴリンパ球に由来する、請求項１４に記載の単離された免疫細胞。
【請求項１６】
ＣＤ１２３発現細胞により特徴づけられる、前悪性または悪性癌症状の治療用の医薬の製造における、請求項１４または１５に記載の単離された免疫細胞の使用。
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
身体の聴診のための装置において、
前記身体の所定の部分に対して、動作時の向きに配置されるための寸法および構成を有するハウジングと、
前記ハウジングの内部に配置された複数のチャンバであって、該複数のチャンバが集合的に、少なくとも前記ハウジングが前記動作時の向きに配置された際に音響信号を受け取るよう構成された、複数のチャンバと、
前記複数のチャンバのうち対応するチャンバ内に少なくとも部分的に配置され、前記音響信号を電気的信号に変換するよう構成された少なくとも１つのトランスデューサーと、
を含むことを特徴とする装置。
【誤訳訂正書】
【提出日】平成30年1月10日(2018.1.10)
【誤訳訂正１】
【訂正対象書類名】特許請求の範囲
【訂正対象項目名】全文
【訂正方法】変更
【訂正の内容】
【特許請求の範囲】
【請求項１】
筐体を含む、埋め込み可能な医療デバイスと、
前記筐体内に設けられる電子部品と、
前記筐体内に設けられる非金属水素ゲッターと、
からなり、前記非金属水素ゲッターは水素を吸収するとともに同水素と結合を形成するように構成されている、装置。
【請求項２】
前記筐体内に設けられるバッテリをさらに含む、請求項１に記載の装置。
【請求項３】
前記筐体内に設けられるコンデンサをさらに含む、請求項１または２に記載の装置。
【請求項４】
前記非金属水素ゲッターは、水素吸収ポリマーを含む、請求項１乃至３のいずれか１項に記載の装置。
【請求項５】
前記水素吸収ポリマーは、ポリアセチレンおよびポリビニルアセチレンのうちの少なくとも１つを含む、請求項４に記載の装置。
【請求項６】
前記筐体内にライナーを含み、該ライナーに対して前記水素ゲッターが取り付けられる、請求項１乃至５のいずれか１項に記載の装置。
【請求項７】
前記電子部品は、プリント基板を含む、請求項１乃至６のいずれか１項に記載の装置。
【請求項８】
前記プリント基板に結合され、電気治療を身体に対して提供するための信号分析を行うように構成された、１つまたは複数の電子部品をさらに含み、前記プリント基板に結合される電源をさらに含む、請求項７に記載の装置。
【請求項９】
前記水素ゲッターは、少なくとも１００μｌの容量を有する大きさにされる、請求項１乃至８のいずれか１項に記載の装置。
【請求項１０】
前記水素ゲッターは、Ｈ２Ｏを副生成物として放出しない、請求項１乃至９のいずれか１項に記載の装置。
【請求項１１】
前記筐体は、密閉封止された筐体を含む、請求項１乃至１０のいずれか１項に
記載の装置。
【請求項１２】
筐体内に設けられる複数の電子部品を含む、埋め込み可能な医療デバイスを提供する工程と、
前記筐体内に非金属水素ゲッターを配置する工程と、
を備え、
前記非金属水素ゲッターは水素を吸収するとともに同水素と結合を形成するように構成されている、方法。
【請求項１３】
前記非金属水素ゲッターは、水素吸収ポリマーを含む、請求項１２に記載の方法。
【請求項１４】
前記水素吸収ポリマーは、ポリアセチレンおよびポリビニルアセチレンのうちの少なくとも１つを含む、請求項１３に記載の方法。
【請求項１５】
前記水素ゲッターは、Ｈ２Ｏを副生成物として放出しない、請求項１２乃至１５のいずれか１項に記載の方法。
【誤訳訂正２】
【訂正対象書類名】明細書
【訂正対象項目名】０００６
【訂正方法】変更
【訂正の内容】
【０００６】
実施例３において、非金属水素ゲッターは、水素吸収ポリマーを含み得る、実施例１に記載の装置。
実施例４において、水素吸収ポリマーは、ポリアセチレンおよびポリビニルアセチレンのうちの少なくとも１つを含む、実施例３に記載の装置。
【誤訳訂正３】
【訂正対象書類名】明細書
【訂正対象項目名】００１１
【訂正方法】変更
【訂正の内容】
【００１１】
実施例１２において、非金属水素ゲッターは、水素吸収ポリマーを含む、実施例１１に記載の装置。
実施例１３において、水素吸収ポリマーは、ポリアセチレンおよびポリビニルアセチレンのうちの少なくとも１つを含む、実施例１２に記載の装置。
【誤訳訂正４】
【訂正対象書類名】明細書
【訂正対象項目名】００１５
【訂正方法】変更
【訂正の内容】
【００１５】
実施例１８において、非金属水素ゲッターは、水素吸収ポリマーを含む、実施例１７に記載の方法。
実施例１９において、水素吸収ポリマーは、ポリアセチレンおよびポリビニルアセチレンのうちの少なくとも１つを含む、実施例１８に記載の方法。
【誤訳訂正５】
【訂正対象書類名】明細書
【訂正対象項目名】００２２
【訂正方法】変更
【訂正の内容】
【００２２】
１つの実施例において、水素ゲッター２０２は、例えば、水素吸収ポリマーから作られる非金属水素ゲッターである。ポリマー水素ゲッター２０２は、デバイスの内部容積に取り付けられ、気体空間に対して露出され得る。水素ガスは、水素ゲッター２０２と反応し、水素ゲッター２０２は、デバイスの雰囲気から水素ガスを除去する。水素ゲッター２０２は、予想される水素放出に対して十分な容量を提供する大きさにされ得る。水素ゲッター２０２は、デバイス内の長期の未知のものおよび任意の他の水素生成源に対する予防的保護を提供することができる。例えば、１つの実施形態において、水素ゲッター２０２は、少なくとも１００μｌの容量を有する大きさにされる。
【誤訳訂正６】
【訂正対象書類名】明細書
【訂正対象項目名】００２４
【訂正方法】変更
【訂正の内容】
【００２４】
さらに、他の従来の水素ゲッターは、水素を吸収し、Ｈ２Ｏを副生成物として放出することによって作用する。そのため、このようなシステムは、Ｈ２Ｏを除去するためのさらなる乾燥剤を必要とし得る。対照的に、本願のポリマー水素ゲッター２０２は、Ｈ２Ｏを副生成物として生み出さない。したがって、ポリマー製の、非金属の、Ｈ２Ｏを生み出さない水素ゲッター２０２は、より安全なデバイスを提供する。
【誤訳訂正７】
【訂正対象書類名】明細書
【訂正対象項目名】００２６
【訂正方法】変更
【訂正の内容】
【００２６】
いくつかの実施例において、埋め込み可能な電子機器の小型化を考えると、水素ゲッター２０２は小さいことが望ましい。したがって、所与の量の材料に対して最大の吸収性を有する水素ゲッター材料を用いた水素ゲッター２０２を使用することが望ましい。
【誤訳訂正８】
【訂正対象書類名】明細書
【訂正対象項目名】００２８
【訂正方法】変更
【訂正の内容】
【００２８】
ポリアセチレンおよびポリビニルアセチレンは、従来の水素ゲッターの容量を倍増させるため、有用となり得る。例えば、ポリアセチレンおよびポリビニルアセチレンは、重量パーセントで３．７３％のＨ２吸収能を有する。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
患者の血管を評価するシステムであって、
第１の器具と連通する処理ユニットを有し、
前記処理ユニットは、第１の時間において、前記血管の第１のグラフィカルな診断測定結果を前記第１の器具から取得するように構成され、前記第１のグラフィカルな診断測定結果は、第１の医学的なモダリティにおけるものであり、
前記処理ユニットは、前記第１の時間の後の第２の時間において、前記血管の第２のグラフィカルな診断測定結果を前記第１の器具から取得するように構成され、前記グラフィカルな診断測定結果は、前記第１の医学的なモダリティにおけるものであり、
前記処理ユニットは、
前記第１及び第２のグラフィカルな診断測定結果を空間的に共同登録し、
共同登録された第１及び第２のグラフィカルな診断測定結果の視覚的表現をディスプレイ上に出力し、
患者の血管の生理学的状態を評価するために、前記共同登録された第１及び第２のグラフィカルな診断測定結果に基づいて、前記第１の時間の血管と前記第２の時間の血管との間の生理学的差分を決定するように構成される、システム。
【請求項２】
血管内手順が前記第１の時間と前記第２の時間との間の血管上で実行される、請求項１に記載のシステム。
【請求項３】
前記血管内手順は、ステントを血管に挿入することを含む、請求項２に記載のシステム。
【請求項４】
前記第１のグラフィカルな診断測定結果上に前記第２のグラフィカルな診断測定結果を重ね合わせることにより合成診断画像を生成するように構成される、請求項１に記載のシステム。
【請求項５】
前記ディスプレイ上に前記複合診断画像を出力するように構成される、請求項４に記載のシステム。
【請求項６】
前記複合診断画像に基づいて前記生理学的差分を決定するように構成される、請求項４に記載のシステム。
【請求項７】
前記第１のグラフィカルな診断測定結果は、外部管腔画像である、請求項１に記載のシステム。
【請求項８】
前記第１のグラフィカルな診断測定結果は、Ｘ線像、血管造影図画像、超音波画像、二次元コンピュータ断層撮影（ＣＴ）画像、三次元ＣＴ画像、コンピュータ断層撮影血管造影図（ＣＴＡ）画像、陽電子放射断層撮影（ＰＥＴ）画像、ＰＥＴ−ＣＴ画像、磁気共鳴映像（ＭＲＩ）及び単光子放出計算機トモグラフィ（ＳＰＥＣＴ）画像のうちの１つである、請求項７に記載のシステム。
【請求項９】
前記第１のグラフィカルな診断測定結果は、腔内画像である、請求項１に記載のシステム。
【請求項１０】
前記第１のグラフィカルな診断測定結果は、血管内超音波（ＩＶＵＳ）画像、前向きＩＶＵＳ（ＦＬ―ＩＶＵＳ）画像、血管内光音響（ＩＶＰＡ）画像、近赤外スペクトロスコピー（ＮＩＲＳ）画像、光コヒーレンス断層撮影（ＯＣＴ）画像、心臓内心エコー検査法（ＩＣＥ）画像、前向きＩＣＥ（ＦＬＩＣＥ）画像及び血管内磁気共鳴映像（ＭＲＩ）のうちの１つである、請求項１に記載のシステム。
【請求項１１】
前記第１及び第２のグラフィカルな診断測定結果を空間的に共同登録することは、前記血管の中心による、請求項１に記載のシステム。
【請求項１２】
前記第１及び第２のグラフィカルな診断測定結果を空間的に共同登録することは、前記第１のグラフィカルな診断測定結果に示される前記血管の第１の断面管腔領域及び前記第２のグラフィカルな診断測定結果に示される前記血管の第2の断面管腔領域に基づく、請求項１に記載のシステム。
【請求項１３】
前記処理ユニットは、第２の器具と通信するように構成され、
前記処理ユニットは、前記第１の時間において、前記血管の第３のグラフィカルな診断測定結果を前記第２の器具から取得するように構成され、前記第３のグラフィカルな診断測定結果は、第２の医学的なモダリティにおけるものであり、
前記処理ユニットは、前記第１の時間の後の前記第２の時間において、前記血管の第４のグラフィカルな診断測定結果を前記第２の器具から取得するように構成され、前記グラフィカルな診断測定結果は、前記第２の医学的なモダリティにおけるものであり、
前記処理ユニットは、
前記第３及び第４のグラフィカルな診断測定結果を前記第１及び第２の診断測定結果に空間的及び時間的に共同登録し、
前記共同登録された第１、第２、第３、及び第４のグラフィカルな診断測定結果の視覚的表現をディスプレイ上に出力し、
前記第１の時間における前記血管と前記第２の時間における前記血管との間の前記生理学的差分を決定することは、前記共同登録された第１、第２、第３、及び第４のグラフィカルな診断測定結果に基づく、
請求項１に記載のシステム。
【請求項１４】
前記患者の前記血管の前記グラフィカルな診断測定結果を取得するように構成される前記第１の器具を更に有する、請求項1に記載のシステム。
【請求項１５】
前記患者の前記血管の前記グラフィカルな診断測定結果を取得するように構成される前記第１の器具及び前記第２の器具を更に有する、請求項１３に記載のシステム。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
患者の体内へ挿入する薬物送達装置であって、
内面を有する貯留部壁によって囲まれた薬物貯留部ルーメンを備える薬物貯留部と、
前記薬物貯留部ルーメン内に位置し、薬物を含む薬物製剤と、
前記薬物を含まない中核領域と、を備え、
前記薬物製剤は、前記貯留部壁の前記内面と前記中核領域との間に配置され、
前記装置は、管腔を通って前記患者の体腔へ挿入するのに適した第１の形状と、前記体腔内に前記装置を留置するのに適した第２の形状との間で弾性変形可能である前記装置。
【請求項２】
前記貯留部壁は、透水性エラストマー材から形成された環状のチューブを含む請求項１に記載の装置。
【請求項３】
前記中核領域は空気、別の気体、またはその組み合わせを含む請求項１に記載の装置。
【請求項４】
前記薬物製剤は、錠剤を含み、前記中核領域は、前記錠剤内の中空空間を含む請求項１に記載の装置。
【請求項５】
前記中核領域は充填材料または構造物を含む請求項１に記載の装置。
【請求項６】
前記中核領域は、前記貯留部壁の前記内面に一致する外面を有する構造物を含む請求項１に記載の装置。
【請求項７】
前記構造物は球状、長楕円状、あるいは略円筒形状である請求項５または６に記載の装置。
【請求項８】
前記構造物は、ねじ山付き若しくは螺旋系である請求項５または６に記載の装置。
【請求項９】
前記中核領域は、前記貯留部壁の１つ以上の位置に取り付けられている請求項１から８のいずれか一項に記載の装置。
【請求項１０】
前記中核領域及び前記内壁は、前記薬物貯留部ルーメンの第１の端部から前記薬物貯留部ルーメンの前記第２の対向する端部まで延在する連続領域に沿って互いに一体的に接続されている請求項９に記載の装置。
【請求項１１】
前記エラストマー材は、シリコーン、ポリウレタン、またはその組み合わせを含む請求項２に記載の装置。
【請求項１２】
前記薬物製剤は固形形態である請求項１から１１のいずれか一項に記載の装置。
【請求項１３】
前記第１の形状が、患者の尿道を通り患者の膀胱に挿入するのに適した比較的まっすぐな形状で、前記第２の形状は、前記装置を前記膀胱内に留置するのに適したコイル状留置形状である、請求項１から１２のいずれか一項に記載の装置。
【請求項１４】
さらに、薬物貯留部に接続した留置フレームを備える請求項１８に記載の装置。
【請求項１５】
患者の体内へ挿入する薬物送達装置であって、
透水性ポリマー材料を含む貯留部壁によって囲まれた薬物貯留部ルーメンを備える薬物貯留部と、
薬物を含み、前記薬物貯留部ルーメンを略充填する薬物製剤と、を含み、
前記薬物貯留部ルーメンは薬物製剤の実質的な部分が貯留部壁に隣接し、前記薬物が前記貯留部壁を通して拡散しやすいようにリボン型であり、
前記装置は、管腔を通って患者の体腔へ挿入するのに適した第１の形状と、前記体腔内に前記装置を留置するのに適した第２の形状との間で弾性変形可能である前記装置。
【請求項１６】
前記貯留部壁は、リボン型薬物貯留部ルーメンの最大幅：最大長さの比が少なくとも４：１となるように規定された寸法を有する請求項１５に記載の装置。
【請求項１７】
前記貯留部壁は、リボン型薬物貯留部ルーメンの最大幅：最大長さの比が少なくとも７：１となるように規定された寸法を有する請求項１５に記載の装置。
【請求項１８】
前記貯留部壁は、リボン型薬物貯留部ルーメンの最大幅：最大長さの比が少なくとも１０：１となるように規定された寸法を有する請求項１５に記載の装置。
【請求項１９】
前記第２の形状がコイル形状、螺旋形状または蛇行形状である請求項１５から１８のいずれか一項に記載の装置。
【請求項２０】
前記薬物製剤が粉または顆粒の形態である請求項１５から１８のいずれか一項に記載の装置。
【請求項２１】
前記貯留部壁は透水性エラストマー材を含む請求項１５から１８のいずれか一項に記載の装置。
【請求項２２】
前記透水性エラストマー材は、シリコーン、ポリウレタン、またはその組み合わせである請求項２１に記載の装置。
【請求項２３】
前記薬物製剤が粉または顆粒の形態であり、前記貯留部壁は、透水性エラストマー材を含み、前記リボン型薬物貯留部ルーメンの最大幅：最大高さの比が少なくとも４：１となるように規定されるような寸法である請求項１５に記載の装置。
【請求項２４】
前記貯留部壁は、留置フレームが配設される留置フレーム開口を含む請求項１５から１８及び２３のいずれか一項に記載の装置。
【請求項２５】
前記第１の形状が、患者の尿道を通り患者の膀胱に挿入するのに適した比較的まっすぐな形状で、前記第２の形状は、前記装置を前記膀胱内に留置するのに適したコイル状留置形状である、請求項１５から１８及び２３のいずれか一項に記載の装置。
【請求項２６】
患者の体内へ挿入する薬物送達装置であって、
内面を有する内部を有する貯留部壁によって囲まれたルーメンを備える薬物貯留部と、
薬物を含み、貯留部壁の内部に位置する薬物製剤と、
薬物を含まないルーメンの中核領域と、を有し、
前記装置は、管腔を通って患者の体腔へ挿入するのに適した第１の形状と、前記体腔内に前記装置を留置するのに適した第２の形状との間で弾性変形可能である前記装置。
【請求項２７】
前記貯留部壁の前記内部は前記薬物製剤が拡散される被覆層の形態である請求項２６に記載の装置。
【請求項２８】
前記中核領域は空気、別の気体、またはその組み合わせを含む請求項２６または２７に記載の装置。
【請求項２９】
前記貯留部壁は、透水性エラストマー材から形成された環状のチューブを含む請求項２６から２８のいずれか一項に記載の装置。
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
ゲームに関連する複数の画像を表示するように構成された面と、
乗客を収容するように構成された車両であって、前記面上の車両経路に関連する入力を前記乗客から受信するように構成されたインタフェース回路を含み、該面上の該車両経路上で移動するように該入力に従って作動する、車両と、
コントローラと、を含むシステムであって、該コントローラは、
前記車両、前記面、外部センサ、又はその組合せからの信号に基づいて、前記車両が前記車両経路上にある間に前記複数の画像のうちの第１の画像の上を移動したと決定し、
前記車両が前記車両経路上にある間に前記第１の画像の上を移動したときに前記第１の画像を変える命令を前記面に関連付けられたディスプレイ回路に与え、及び
前記車両が前記車両経路上にある間に前記第１の画像の上を移動したときに前記車両に関連付けられた得点を更新する、
ように構成される、システム。
【請求項２】
前記面は自己照明される、請求項１に記載のシステム。
【請求項３】
前記面は、該面上の前記車両の位置を検出して前記信号を与えるように構成された１又は複数のセンサを含む、請求項１に記載のシステム。
【請求項４】
前記車両は、前記信号を与えるように構成された１又は複数の送信機を含む、請求項１に記載のシステム。
【請求項５】
前記コントローラは、前記外部センサからの前記信号に基づいて前記車両が前記複数の画像のうちの前記第１の画像の上を移動したと決定するように構成され、
前記外部センサは、カメラを含む、請求項１に記載のシステム。
【請求項６】
前記車両は、前記コントローラから前記得点を受信して表示するように構成されたディスプレイモジュールを含む、請求項１に記載のシステム。
【請求項７】
前記第１の画像を変える前記命令は、該第１の画像の色を変える命令を含む、請求項１に記載のシステム。
【請求項８】
前記第１の画像を変える前記命令は、該第１の画像を表示することを停止する命令を含む、請求項１に記載のシステム。
【請求項９】
前記面は、前記コントローラによって前記車両経路から除外される１又は複数の領域を含む、請求項１に記載のシステム。
【請求項１０】
前記１又は複数の領域は、経路境界として前記面上に表示される、請求項９に記載のシステム。
【請求項１１】
前記コントローラは、前記乗客からの前記入力をオーバーライドして前記車両が前記１又は複数の領域の上を移動するのを防止する制御入力を該車両に与えるように構成される、請求項９に記載のシステム。
【請求項１２】
前記コントローラは、前記車両に第２の車両が閾値よりも小さい該車両からの距離にあることを示す該第２の車両からの第２の信号を受信したときに前記車両経路上の車両速度を制御する速度入力を与えるように構成される、請求項１に記載のシステム。
【請求項１３】
前記コントローラは、閾値を超える車両速度をもたらすであろう前記乗客からの第２の入力をオーバーライドする入力を前記車両に与えるように構成される、請求項１に記載のシステム。
【請求項１４】
前記コントローラは、
前記車両、前記面、前記外部センサ、又はその組合せからの第２の信号に基づいて、前記車両が前記車両経路上にある間に前記複数の画像のうちの第２の画像の上を移動したと決定し、
前記車両が前記車両経路上にある間に前記第２の画像の上を移動したときに前記第２の画像を変える命令を前記面に関連付けられた前記ディスプレイ回路に与え、及び
前記車両が前記車両経路上にある間に前記第２の画像の上を移動したときに前記車両に関連付けられた前記得点を更新する、
ように構成される、請求項１に記載のシステム。
【請求項１５】
複数の車両に対する複数の車両位置に関連する１又は複数の信号を受信する段階と、
前記複数の車両の第１の部分集合に、フロア面に対する該第１の部分集合の車両位置に基づいて第１の群の得点を割り当てる段階と、
前記複数の車両の第２の部分集合に、前記第１の部分集合のそれぞれの車両に対する該第２の部分集合のそれぞれの車両の位置に基づいて第２の群の得点を割り当てる段階と、  を含む方法であって、
前記第２の群の得点を割り当てる段階は、個々の車両が前記第１の部分集合内のあらゆる他の車両の予め決められた距離内に入るときに前記第２の部分集合内の該個々の車両の得点を増大する段階を含む、方法。
【請求項１６】
経時的な前記第１及び第２の部分集合の車両経路に基づいて前記第１の群の得点及び前記第２の群の得点を更新する段階を含む、請求項１５に記載の方法。
【請求項１７】
前記第１の部分集合及び前記第２の部分集合は、非重複である、請求項１５に記載の方法。
【請求項１８】
前記複数の車両の各々の車両が、そこに位置するそれぞれの乗客の制御下にある、請求項１５に記載の方法。
【請求項１９】
前記第１の群の得点を割り当てる段階は、前記フロア面上の複数の予め決められた位置のうちの１つに位置する前記第１の部分集合内のあらゆる車両の得点を増大する段階を含む、請求項１５に記載の方法。
【請求項２０】
前記第１の群の得点を割り当てる段階は、前記第２の部分集合内のあらゆる第２の車両の第２の予め決められた距離内にある前記第１の部分集合内のあらゆる車両の得点を低減する段階を含む、請求項１５に記載の方法。
【請求項２１】
前記第２の部分集合内のあらゆる第２の車両の第２の予め決められた距離内にある前記第１の部分集合内のあらゆる車両に運動罰則を適用する段階を含む、請求項１５に記載の方法。
【請求項２２】
前記運動罰則は、前記第１の部分集合内の前記車両が移動することができない期間又は乗客オーバーライドを含む、請求項２１に記載の方法。
【請求項２３】
前記運動罰則は、ゲーム開始位置への前記第１の部分集合内の前記車両の戻りを含む、請求項２１に記載の方法。
【請求項２４】
ゲームシステムのためのコントローラであって、
実行されたときに、
第１のゲームディスプレイにアクセスし、
第１のゲーム構成と第１の組の表示画像とを含む前記第１のゲームディスプレイを表示する命令をゲームフロア面のディスプレイ回路に与え、
前記ゲームフロア面上の個々の車両の移動を示す１又は複数の信号を受信し、
前記移動と前記第１のゲーム構成とに基づいて前記個々の車両に得点を割り当て、
第２のゲームディスプレイにアクセスし、及び
前記第１のゲームディスプレイに対して前記個々の車両のための異なる車両経路を含む第２のゲーム構成と第２の組の表示画像とを含む前記第２のゲームディスプレイを表示する命令を前記ゲームフロア面の前記ディスプレイ回路に与える、
ように構成された命令を格納するメモリと、
前記命令を実行するように構成されたプロセッサと、
を含む、コントローラ。
【請求項２５】
前記第２のゲームディスプレイは、前記得点に基づいて複数のゲームディスプレイから選択される、請求項２４に記載のコントローラ。
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
細長いデバイスであって、
−  当該細長いデバイスの長手方向延長部の異なる長手方向位置に配置される位相変化材料のブロックと、
−  該位相変化材料の前記少なくとも部分に光学的に熱を提供して、前記位相変化材料の前記少なくとも部分の剛性を１つの剛性値から異なる剛性値に変えるために、光ファイバの近位端から前記位相変化材料の前記少なくとも部分への光の伝送を可能にするよう、前記位相変化材料に対して配置される、前記光ファイバとを含み、
前記光ファイバは、複数の長手方向部分を含み、該複数の長手方向部分は、前記光ファイバのそれぞれの長手方向部分で前記光ファイバの長手方向延長部から離れる方向に光を誘導するために配置される、傾斜又はブレーズドグレーティングを備え、
前記グレーティングの傾斜角は、特定範囲の波長の光を少なくとも前記光ファイバの長手方向部分に沿って均等に誘導するよう選択される、
細長いデバイス。
【請求項２】
前記光ファイバは、当該細長いデバイスの異なる長手方向位置に配置される位相変化材料のブロックのうちのブロックの複数の異なる部分に熱をもたらすために、前記光ファイバの近位端から光を伝送するよう配置される、請求項１に記載の細長いデバイス。
【請求項３】
前記光ファイバの前記複数の長手方向部分にある前記傾斜又はブレーズドグレーティングは、光のそれぞれの異なる波長で前記光ファイバの前記長手方向延長部から離れる方向に光を誘導するように配置される、請求項１に記載の細長いデバイス。
【請求項４】
前記位相変化材料は、当該細長いデバイスの異なる長手方向部分の剛性の波長依存変化を可能にするよう、少なくとも前記光ファイバの前記長手方向延長部に沿って配置される、請求項３に記載の細長いデバイス。
【請求項５】
前記光ファイバの前記複数の長手方向部分での前記グレーティングは、前記複数の長手方向部分に配置される位相変化材料の光波長依存アクティブ化を可能にするよう、それぞれの特異なグレーティング期間を有する、請求項１に記載の細長いデバイス。
【請求項６】
前記傾斜又はブレーズドグレーティングは、ブラッググレーティングを含む、請求項１に記載の細長いデバイス。
【請求項７】
その長手方向延長部の少なくとも部分に前記位相変化材料を含む細長いチューブを含み、前記光ファイバは、前記細長いチューブの内側に配置される、請求項１に記載の細長いデバイス。
【請求項８】
前記位相変化材料は、少なくとも前記細長いデバイスの遠位端部分に沿って配置される、請求項１に記載の細長いデバイス。
【請求項９】
前記細長いデバイスは、インターベンショナルガイドワイヤ又はインターベンショナルカテーテルである、請求項１に記載の細長いデバイス。
【請求項１０】
細長いデバイスを含むシステムであって、
前記細長いデバイスは、
前記細長いデバイスの長手方向延長部の異なる長手方向位置に配置される位相変化材料のブロックと、
前記位相変化材料の少なくとも部分に熱を光学的に提供して前記位相変化材料の前記少なくとも部分の剛性を１つの剛性値から異なる剛性値に変更させるために、光ファイバの近位端から前記位相変化材料の少なくとも部分に光を伝送するのを可能にするよう、前記位相変化材料に対して配置される前記光ファイバであって、複数の長手方向部分を含み、該複数の長手方向部分は、前記光ファイバのそれぞれの長手方向部分で前記光ファイバの長手方向延長部から離れる方向に光を誘導するために配置される傾斜又はブレーズドグレーティングを備えことを特徴とし、前記グレーティングの傾斜角は、特定範囲の波長の光を少なくとも前記光ファイバの長手方向部分に沿って均等に誘導するように選択される、前記光ファイバと、
光を提供して前記位相変化材料の前記少なくとも部分の剛性を１つの剛性値から異なる構成値に変えるために、前記光ファイバの前記近位端への接続のために配置される光源とを含む、
システム。
【請求項１１】
細長いデバイスを制御する方法であって、
その近位端から少なくとも前記細長いデバイスの異なる長手方向部分に沿って配置される位相変化材料のブロックに光を伝送するように配置される光ファイバを含む前記細長いデバイスを提供するステップであって、前記光ファイバは、複数の長手方向部分を含み、該複数の長手方向部分は、前記光ファイバのそれぞれの長手方向部分で前記光ファイバの長手方向延長部から離れる方向に光を誘導するために配置される傾斜又はブレーズドグレーティングを備え、該グレーティングの傾斜角は、特定範囲の波長の光を少なくとも前記光ファイバの長手方向部分に沿って均等に誘導するように選択される、ステップと、
前記位相変化材料の前記部分に熱を光学的に提供して、前記位相変化材料の前記部分の剛性を１つの剛性値から異なる剛性値に変えるよう、前記光ファイバの近位端に光をもたらすステップとを含む、
方法。
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
マルトデキストリンと植物繊維との混合物を含むことを特徴とする、低脂肪分又は脂肪分ゼロのチューインペースト。
【請求項２】
０．１％〜２５％、好ましくは２％〜１０％、より優先的には３％〜８％のマルトデキストリンを含み、その割合は、前記チューインペーストの総重量に対する重量によって表されることを特徴とする、請求項１に記載のチューインペースト。
【請求項３】
０．１％〜５０％、好ましくは１％〜１０％、より優先的には１％〜６％の植物繊維を含み、その割合は、前記チューインペーストの総重量に対する重量によって表されることを特徴とする、請求項１に記載のチューインペースト。
【請求項４】
ゼラチンを含有しないことを特徴とする、請求項１ないし請求項３のいずれか一項に記載のチューインペースト。
【請求項５】
無糖であることを特徴とする、請求項１ないし請求項４のいずれか一項に記載のチューインペースト。
【請求項６】
前記マルトデキストリンが１０未満のＤＥ、及びより優先的には５未満のＤＥを有することを特徴とする、請求項１に記載のチューインペースト。
【請求項７】
前記マルトデキストリンが２に等しいＤＥを有することを特徴とする、請求項６に記載のチューインペースト。
【請求項８】
前記植物繊維が、可溶性繊維、不溶性繊維、又はこれらの混合物から選択されることを特徴とする、請求項１ないし請求項７のいずれか一項に記載のチューインペースト。
【請求項９】
前記不溶性植物繊維が、難消化性デンプン類、穀類繊維、果実繊維、野菜繊維、マメ科植物繊維、又はこれらの混合物から選択されることを特徴とする、請求項８に記載のチューインペースト。
【請求項１０】
前記可溶性植物繊維が、フルクタン類、例えば、フラクトオリゴ糖類（ＦＯＳ類）及びイヌリン、グルコオリゴ糖類（ＧＯＳ類）、イソマルトオリゴ糖類（ＩＭＯ類）、トランスガラクトオリゴ糖類（ＴＯＳ類）、ピロデキストリン類、ポリデキストロース、分枝マルトデキストリン類、難消化性デキストリン類及び油糧植物又はタンパク質産生植物に由来する可溶性オリゴ糖類から選択されることを特徴とする、請求項８に記載のチューインペースト。
【請求項１１】
前記植物繊維が分枝マルトデキストリンであることを特徴とする、請求項１０に記載のチューインペースト。
【請求項１２】
ガムベース、詳細には５重量％〜５０重量％のガムベースもまた含有することを特徴とする、請求項１ないし請求項１１のいずれか一項に記載のチューインペースト。
【請求項１３】
ポリオール類を含有しないことを特徴とする、請求項１２に記載のチューインペースト。
【請求項１４】
チューインペーストにおける脂肪の代用としてのマルトデキストリンと植物繊維との混合物の使用。
【請求項１５】
チューインガム組成物であって、
−  ５％〜２５％、優先的には７％〜２２％の少なくとも１つのガムベース、
−  ５％〜９０％、優先的には２０％〜８０％、及びより優先的にはさらに３０％〜７５％の請求項１ないし請求項１３のいずれか一項に記載のチューインペースト、
−  ０．１％〜８％、優先的には０．１％〜３％の少なくとも１つの香料
を含有し、その割合は、前記チューインガム組成物の総重量に対する乾燥重量として提供される、チューインガム組成物。
【請求項１６】
以下のステップ：
−  請求項１ないし請求項１３のいずれか一項に記載のチューインペーストを前記ガムベースと混合するステップ、
−  前記混合物を圧延又は押出しするステップ、
−  前記チューインガムを回収するステップ
を含むことを特徴とする、請求項１５に記載のチューインガム組成物の製造方法。